(57)【特許請求の範囲】
【請求項１】
冷却塔内で、冷却水にマイクロナノバブルを含有させた後に、この冷却水を微生物が繁殖しているポリ塩化ビニリデン充填材または微生物が繁殖している活性炭とともに貯水してから、この冷却水を、熱媒体が流れるパイプに接触させて、上記熱媒体を冷却することを特徴とする冷却方法。
【請求項２】
熱媒体が流れるパイプに冷却水を接触させて上記熱媒体を冷却する冷却塔と、
マイクロナノバブルを含む冷却水を作るマイクロナノバブル発生機と、
上記マイクロナノバブルを含有させた冷却水とともに貯水される位置に配置されると共に、微生物が繁殖しているポリ塩化ビニリデン充填材または微生物が繁殖している活性炭と
を備え、
上記冷却水は、マイクロナノバブルを含有させた後に微生物が繁殖しているポリ塩化ビニリデン充填材または微生物が繁殖している活性炭とともに貯水されてから、上記熱媒体が流れる上記パイプに接触することを特徴とする冷却装置。
【請求項３】
請求項２に記載の冷却装置において、
上記マイクロナノバブル発生機は、上記冷却塔の内部に、配置されていることを特徴とする冷却装置。
【請求項４】
請求項３に記載の冷却装置において、
上記冷却塔は、
上部に配置されると共に、上記冷却水を貯水する上部貯水部と、
中間部に配置されると共に、上記パイプを有し、上記パイプに上記上部貯水部から散水された上記冷却水を接触させて上記冷却水と上記熱媒体とを熱交換する熱交換部と、
下部に配置されると共に、上記熱交換部で熱交換された上記冷却水を貯水する下部貯水部と
を有し、
上記マイクロナノバブル発生機は、上記上部貯水部の内部および上記下部貯水部の内部の少なくとも一方に、配置され、
上記マイクロナノバブル発生機で作られた上記冷却水は、上記上部貯水部、上記熱交換部および上記下部貯水部の間を循環することを特徴とする冷却装置。
【請求項５】
請求項４に記載の冷却装置において、
上記上部貯水部の内部および上記下部貯水部の内部の少なくとも一方に、上記ポリ塩化ビニリデン充填材を有することを特徴とする冷却装置。
【請求項６】
請求項４に記載の冷却装置において、
上記上部貯水部の内部および上記下部貯水部の内部の少なくとも一方に、上記活性炭を有することを特徴とする冷却装置。
【請求項７】
請求項２に記載の冷却装置において、
上記冷却塔の外部に、上記冷却塔に連結されたマイクロナノバブル発生槽を有し、
上記マイクロナノバブル発生機は、上記マイクロナノバブル発生槽の内部に、配置され、
上記マイクロナノバブル発生機で作られた上記冷却水は、上記冷却塔および上記マイクロナノバブル発生槽の間を循環することを特徴とする冷却装置。
【請求項８】
請求項７に記載の冷却装置において、
上記冷却塔の外部に、上記冷却塔および上記マイクロナノバブル発生槽に連結された水処理槽を有し、
上記マイクロナノバブル発生機で作られた上記冷却水は、上記冷却塔、上記水処理槽および上記マイクロナノバブル発生槽の間を循環することを特徴とする冷却装置。
【請求項９】
請求項８に記載の冷却装置において、
上記水処理槽の内部に、上記ポリ塩化ビニリデン充填材を有することを特徴とする冷却装置。
【請求項１０】
請求項８に記載の冷却装置において、
上記水処理槽の内部に、上記活性炭を有することを特徴とする冷却装置。
【発明の詳細な説明】
【技術分野】
【０００１】
この発明は、冷却塔内で冷却水によって熱媒体を冷却する冷却方法および冷却装置に関する。
【背景技術】
【０００２】
従来、冷却装置では、冷却塔内で、冷却水を、熱媒体が流れるパイプに接触させて、上記熱媒体を冷却していた。上記冷却塔は、熱交換器の一種で、特に屋外に設置されていた。
【０００３】
上記冷却塔の冷却水は、水温の関係から細菌やアメーバなどの微生物の増殖に適しており、レジオネラ属菌が増えやすい。そして、冷却水のエアロゾルが空中に飛散するため、注意が必要である。
【０００４】
そこで、上記冷却塔の使用期間中は、レジオネラ属菌の増殖を抑制するため、上記冷却水に殺菌剤を継続的に投入していた（特開２０００−３５４８５６号公報：特許文献１参照）。薬剤としては、塩素剤などがある。
【特許文献１】特開２０００−３５４８５６号公報
【発明の開示】
【発明が解決しようとする課題】
【０００５】
しかしながら、上記従来の冷却装置では、洗浄および殺菌の効果を維持するために、薬剤を投入して、上記冷却水を濃縮しすぎると、上記冷却塔内にスケールやスライムが発生する問題があった。ここで、スケールとは、スラッジや、金属イオンを含む結晶状のものをいい、上記スライムとは、藻のような形状で、柔らかいものをいう。
【０００６】
そして、上記スケールやスライムの発生によって上記パイプ間が目詰まりし、上記熱媒体と上記冷却水との熱交換の効率が低下していた。
【０００７】
そこで、この発明の課題は、細菌や水垢の発生を抑制し、かつ、スケールやスライムの発生を抑制して熱媒体と冷却水との熱交換の効率を向上する冷却装置および冷却方法を提供することにある。
【課題を解決するための手段】
【０００８】
上記課題を解決するため、この発明の冷却方法は、冷却塔内で、冷却水にマイクロナノバブルを含有させた後に、この冷却水を微生物が繁殖しているポリ塩化ビニリデン充填材または微生物が繁殖している活性炭とともに貯水してから、この冷却水を、熱媒体が流れるパイプに接触させて、上記熱媒体を冷却することを特徴としている。
【０００９】
ここで、マイクロナノバブルとは、１０μｍから数百ｎｍ前後の直径を有する気泡をいう。
【００１０】
この発明の冷却方法によれば、マイクロナノバブルを含む冷却水を、熱媒体が流れるパイプに接触させて、上記熱媒体を冷却するので、上記冷却水によって、上記冷却塔内で細菌や水垢の発生を抑制する。したがって、薬剤の投入や上記冷却水の濃縮が不要になって、上記冷却塔内でスケールやスライムの発生を抑制できて、スケールやスライムによるパイプ間の目詰まりを防止し、上記熱媒体と上記冷却水との熱交換の効率を向上できる。さらに、薬剤の投入や上記冷却水の濃縮が不要になって、上記冷却塔のケーシングや上記パイプ等の腐食を防止する。また、上記マイクロナノバブルを含む冷却水は、それ自体、気化し易いので、熱交換の効率を一層向上できる。
【００１１】
また、この発明の冷却装置は、
熱媒体が流れるパイプに冷却水を接触させて上記熱媒体を冷却する冷却塔と、
マイクロナノバブルを含む冷却水を作るマイクロナノバブル発生機と、
上記マイクロナノバブルを含有させた冷却水とともに貯水される位置に配置されると共に、微生物が繁殖しているポリ塩化ビニリデン充填材または微生物が繁殖している活性炭と
を備え、
上記冷却水は、マイクロナノバブルを含有させた後に微生物が繁殖しているポリ塩化ビニリデン充填材または微生物が繁殖している活性炭とともに貯水されてから、上記熱媒体が流れる上記パイプに接触することを特徴としている。
【００１２】
ここで、マイクロナノバブルとは、１０μｍから数百ｎｍ前後の直径を有する気泡をいう。
【００１３】
この発明の冷却装置によれば、上記冷却塔の上記冷却水は、マイクロナノバブルを含むので、上記冷却水によって、上記冷却塔内で細菌や水垢の発生を抑制する。したがって、薬剤の投入や上記冷却水の濃縮が不要になって、上記冷却塔内でスケールやスライムの発生を抑制できて、スケールやスライムによるパイプ間の目詰まりを防止し、上記熱媒体と上記冷却水との熱交換の効率を向上できる。さらに、薬剤の投入や上記冷却水の濃縮が不要になって、上記冷却塔のケーシングや上記パイプ等の腐食を防止する。また、上記マイクロナノバブルを含む冷却水は、それ自体、気化し易いので、熱交換の効率を一層向上できる。
【００１５】
また、上記マイクロナノバブルを含む冷却水を作るマイクロナノバブル発生機を有するので、上記マイクロナノバブルによる効果を有効に利用できる。
【００１６】
また、一実施形態の冷却装置では、上記マイクロナノバブル発生機は、上記冷却塔の内部に、配置されている。
【００１７】
この実施形態の冷却装置によれば、上記マイクロナノバブル発生機は、上記冷却塔の内部に、配置されているので、デッドスペースを利用して上記マイクロナノバブル発生機を収容できて、冷却装置の小型化を図ることができる。
【００１８】
また、一実施形態の冷却装置では、上記冷却塔は、上部に配置されると共に、上記冷却水を貯水する上部貯水部と、中間部に配置されると共に、上記パイプを有し、上記パイプに上記上部貯水部から散水された上記冷却水を接触させて上記冷却水と上記熱媒体とを熱交換する熱交換部と、下部に配置されると共に、上記熱交換部で熱交換された上記冷却水を貯水する下部貯水部とを有し、
上記マイクロナノバブル発生機は、上記上部貯水部の内部および上記下部貯水部の内部の少なくとも一方に、配置され、上記マイクロナノバブル発生機で作られた上記冷却水は、上記上部貯水部、上記熱交換部および上記下部貯水部の間を循環している。
【００１９】
この実施形態の冷却装置によれば、上記マイクロナノバブル発生機は、上記上部貯水部の内部および上記下部貯水部の内部の少なくとも一方に、配置されているので、デッドスペースを有効に利用できて、冷却装置の小型化を確実に図ることができる。
【００２０】
また、一実施形態の冷却装置では、上記上部貯水部の内部および上記下部貯水部の内部の少なくとも一方に、ポリ塩化ビニリデン充填材を有している。
【００２１】
ここで、ポリ塩化ビニリデン充填材の形状は、例えば、ひも状やリング状である。
【００２２】
この実施形態の冷却装置によれば、上記上部貯水部の内部および上記下部貯水部の内部の少なくとも一方に、ポリ塩化ビニリデン充填材を有するので、このポリ塩化ビニリデン充填材のみに微生物が繁殖し、この微生物によって上記冷却水を生物学的に水処理する。したがって、従来使用していた水処理薬品を削減できて、藻類および藻類起因のスライムの発生を抑制して、上記熱媒体と上記冷却水との熱交換の効率の低下を防止する。
【００２３】
また、一実施形態の冷却装置では、上記上部貯水部の内部および上記下部貯水部の内部の少なくとも一方に、活性炭を有している。
【００２４】
ここで、活性炭は、例えば、網袋に収容されている。
【００２５】
この実施形態の冷却装置によれば、上記上部貯水部の内部および上記下部貯水部の内部の少なくとも一方に、活性炭を有するので、この活性炭に上記冷却水中の有機物が吸着し、その後、この活性炭のみに繁殖した微生物によって、吸着した有機物を分解する。したがって、従来使用していた水処理薬品を削減できて、藻類および藻類起因のスライムの発生を抑制して、上記熱媒体と上記冷却水との熱交換の効率の低下を防止する。
【００２６】
また、一実施形態の冷却装置では、上記冷却塔の外部に、上記冷却塔に連結されたマイクロナノバブル発生槽を有し、上記マイクロナノバブル発生機は、上記マイクロナノバブル発生槽の内部に、配置され、上記マイクロナノバブル発生機で作られた上記冷却水は、上記冷却塔および上記マイクロナノバブル発生槽の間を循環している。
【００２７】
この実施形態の冷却装置によれば、上記マイクロナノバブル発生機は、上記冷却塔の外部の上記マイクロナノバブル発生槽の内部に、配置されているので、既存の冷却塔に、上記マイクロナノバブル発生槽を後付けできて、既存の冷却塔を有効に利用できる。
【００２８】
また、一実施形態の冷却装置では、上記冷却塔の外部に、上記冷却塔および上記マイクロナノバブル発生槽に連結された水処理槽を有し、上記マイクロナノバブル発生機で作られた上記冷却水は、上記冷却塔、上記水処理槽および上記マイクロナノバブル発生槽の間を循環している。
【００２９】
この実施形態の冷却装置によれば、上記冷却塔の外部に、上記冷却塔および上記マイクロナノバブル発生槽に連結された水処理槽を有するので、既存の冷却塔に、上記水処理槽を後付けできて、既存の冷却塔を有効に利用できる。
【００３０】
また、一実施形態の冷却装置では、上記水処理槽の内部に、ポリ塩化ビニリデン充填材を有している。
【００３１】
ここで、ポリ塩化ビニリデン充填材の形状は、例えば、ひも状やリング状である。
【００３２】
この実施形態の冷却装置によれば、上記水処理槽の内部に、ポリ塩化ビニリデン充填材を有するので、このポリ塩化ビニリデン充填材のみに微生物が繁殖し、この微生物によって上記冷却水を生物学的に水処理する。したがって、従来使用していた水処理薬品を削減できて、藻類および藻類起因のスライムの発生を抑制して、上記熱媒体と上記冷却水との熱交換の効率の低下を防止する。
【００３３】
また、一実施形態の冷却装置では、上記水処理槽の内部に、活性炭を有している。
【００３４】
ここで、活性炭は、例えば、網袋に収容されている。
【００３５】
この実施形態の冷却装置によれば、上記水処理槽の内部に、活性炭を有するので、この活性炭に上記冷却水中の有機物が吸着し、その後、この活性炭のみに繁殖した微生物によって、吸着した有機物を分解する。したがって、従来使用していた水処理薬品を削減できて、藻類および藻類起因のスライムの発生を抑制して、上記熱媒体と上記冷却水との熱交換の効率の低下を防止する。
【発明の効果】
【００３６】
この発明の冷却方法によれば、マイクロナノバブルを含む冷却水を、熱媒体が流れるパイプに接触させて、上記熱媒体を冷却するので、細菌や水垢の発生を抑制し、かつ、スケールやスライムの発生を抑制して上記熱媒体と上記冷却水との熱交換の効率を向上する。
【００３７】
この発明の冷却装置によれば、上記冷却塔の上記冷却水は、マイクロナノバブルを含むので、細菌や水垢の発生を抑制し、かつ、スケールやスライムの発生を抑制して上記熱媒体と上記冷却水との熱交換の効率を向上する。
【発明を実施するための最良の形態】
【００３８】
以下、この発明を図示の実施の形態により詳細に説明する。
【００３９】
（第１の実施形態）
図１は、この発明の冷却装置の第１の実施形態である模式図を示している。上記冷却装置は、熱媒体が流れるパイプ８に冷却水を接触させて上記熱媒体を冷却する冷却塔１を備える。上記冷却水は、マイクロナノバブルを含む。
【００４０】
ここで、マイクロナノバブルとは、１０μｍから数百ｎｍ前後の直径を有する気泡をいう。なお、通常のバブル（気泡）は、水の中を上昇して、ついには表面でパンとはじけて消滅する。また、マイクロバブルとは、１０〜数十μｍの気泡径を有する気泡をいい、水中で縮小していき、ついには消滅（完全溶解）してしまう。また、ナノバブルとは、数百ｎｍ以下の直径を有する気泡をいい、いつまでも水の中に存在できる。
【００４１】
上記冷却塔１の内部には、上記マイクロナノバブルを含む冷却水を作るマイクロナノバブル発生機１２が、配置されている。
【００４２】
上記冷却塔１は、上部に配置される上部貯水部３２と、中間部に配置される熱交換部２と、下部に配置される下部貯水部３とを有する。上記マイクロナノバブル発生機１２は、上記下部貯水部３の内部に、配置される。上記マイクロナノバブル発生機１２で作られた上記冷却水は、上記上部貯水部３２、上記熱交換部２および上記下部貯水部３の間を循環する。
【００４３】
上部貯水部３２は、散水貯槽４およびファン５を有する。上記散水貯槽４は、上記下部貯水部３から送られた冷却水を貯水している。上記散水貯槽４の下部には、複数の散水口１８が設けられ、冷却水が、この散水口１８から落下して、上記熱交換部２の上記パイプ８に均等に散水される。
【００４４】
上記熱交換部２は、上記パイプ８と、このパイプ８の周囲に設けられた冷却水飛散防止用のルーバー７とを有する。上記パイプ８は、蛇行状に設けられ、上記上部貯水部３２から散水された冷却水との接触面積を大きくしている。上記熱交換部２は、上記パイプ８に上記上部貯水部３２から散水された上記冷却水を接触させて上記冷却水と上記熱媒体とを熱交換する。
【００４５】
一般的に、上記パイプ８は、銅製であり、このパイプ８には、外気温度より高い温度の（水などの）熱媒体が流れている。そして、外気、および、冷却水の気化熱によって、熱媒体の熱が奪われて、熱媒体が冷却される。
【００４６】
具体的に述べると、上記ファン５によって、熱交換前の外気は、矢印１７に示すように、上記ルーバー７を通過して、上記パイプ８に導入される。そして、上記パイプ８を通過し、熱媒体から熱を奪った熱交換後の外気は、上記熱交換部２の中心の空間部分を通過して、矢印６に示すように、上記ファン５から上記冷却塔１の外側に排出される。
【００４７】
上記下部貯水部３は、上記熱交換部２で熱交換された上記冷却水を貯水する水槽９を有する。この水槽９内に、上記マイクロナノバブル発生機１２が配置される。また、上記水槽９の外側には、散水ポンプ１０および循環ポンプ１１が設置され、上記散水ポンプ１０および上記循環ポンプ１１は、上記水槽９に連結されている。上記散水ポンプ１０は、上記水槽９から上記散水貯槽４に冷却水を移送する。上記循環ポンプ１１は、上記水槽９で冷却水を循環する。
【００４８】
上記マイクロナノバブル発生機１２は、配管を介して、上記循環ポンプ１１と接続しており、上記マイクロナノバブル発生機１２には、空気吸い込み管１５が接続されている。
【００４９】
上記マイクロナノバブル発生機１２への循環水の供給は、上記循環ポンプ１１で調整される一方、上記マイクロナノバブル発生機１２への空気の供給は、上記空気吸い込み管１５に取り付けられているバルブ１４により、調整されて、最適なマイクロナノバブルを含む冷却水を、矢印１３に示すように、発生する。
【００５０】
上記循環ポンプ１１は、冷却水を上記マイクロナノバブル発生機１２に必要圧力状態で供給している。必要圧力状態で供給すると、マイクロナノバブルが効率よく発生する。必要圧力とは、１．５ｋｇ／ｃｍ２以上を意味する。
【００５１】
上記マイクロナノバブル発生機１２としては、市販されているものならば、メーカーを限定するものではなく、具体的には、株式会社ナノプラネット研究所と株式会社オーラテックのものがある。他の商品としては、一例として、西華産業株式会社のマイクロバブル水製造装置や資源開発株式会社のマイクロバブル水製造装置があるが、目的に従って選定すれば良い。
【００５２】
上記構成の冷却装置では、マイクロナノバブルを含む冷却水を、熱媒体が流れる上記パイプ８に接触させて、上記熱媒体を冷却する。したがって、マイクロナノバブルの除菌作用によって、上記冷却塔１内で細菌や水垢の発生を抑制する。そして、薬剤の投入や上記冷却水の濃縮が不要になって、上記冷却塔１内でスケールやスライムの発生を抑制できて、スケールやスライムによる上記パイプ８間の目詰まりを防止し、上記熱媒体と上記冷却水との熱交換の効率を向上できる。
【００５３】
具体的に述べると、上記パイプ８や上記ルーバー７などの冷却水が接触する部分全てにおいて、スケールやスライムの付着を抑制できて、上記冷却塔１のコイルに関する熱交換の効率（熱効率）がアップし、省エネが可能である。また、上記散水貯槽４において、スケールやスライムの付着を抑制できて、上記散水貯槽４の上記散水口１８を掃除するメンテナンスの回数を極端に減少できる。また、上記水槽９において、スケールやスライムの付着を抑制できる。
【００５４】
さらに、薬剤の投入や上記冷却水の濃縮が不要になって、上記冷却塔１のケーシングや上記パイプ８等の冷却水が接触する部分において、腐食を防止する。また、上記マイクロナノバブルを含む冷却水は、それ自体、気化し易いので、熱交換の効率を一層向上できる。
【００５５】
また、上記冷却装置は、上記マイクロナノバブル発生機１２を有するので、上記マイクロナノバブルによる効果を有効に利用できる。また、上記マイクロナノバブル発生機１２は、上記下部貯水部３の内部に、配置されているので、デッドスペースを有効に利用して上記マイクロナノバブル発生機１２を収容できて、冷却装置の小型化を確実に図ることができる。
【００５６】
（第２の実施形態）
図２は、この発明の冷却装置の第２の実施形態を示している。この第２の実施形態は、上記第１の実施形態と比較して、上記上部貯水部３２の内部および上記下部貯水部３の内部に、ひも状のポリ塩化ビニリデン充填材２８を有している。なお、上記第１の実施形態と同じ部分については、同じ符号を付けて、詳細な説明を省略する。
【００５７】
つまり、上記散水貯槽４および上記水槽９の内部に、上記ポリ塩化ビニリデン充填材２８を充填している。この冷却装置で発生した微生物は、上記ポリ塩化ビニリデン充填材２８のみに集中して繁殖する。
【００５８】
なぜなら、上記冷却塔１において冷却水中に繁殖する微生物は、特に排水の例と異なり、汚濁有機物が流入してくるわけではないので、微生物濃度は、排水処理の場合と比較して、低濃度である。そして、微生物の濃度が、低濃度であるので、上記ポリ塩化ビニリデン充填材２８に集中して繁殖する。つまり、微生物濃度が低い場合は、マイクロナノバブルは、除菌作用がある一方、微生物濃度が高い場合は、マイクロナノバブルは、微生物の活性化を推進する。
【００５９】
そして、マイクロナノバブルで活性化されて上記ポリ塩化ビニリデン充填材２８に集中して繁殖した微生物によって、冷却水を生物学的に水処理する。したがって、従来使用していた水処理薬品を削減できて、藻類および藻類起因のスライムの発生を抑制して、上記熱媒体と上記冷却水との熱交換の効率の低下を防止する。
【００６０】
（第３の実施形態）
図３は、この発明の冷却装置の第３の実施形態を示している。この第３の実施形態は、上記第１の実施形態と比較して、上記上部貯水部３２の内部および上記下部貯水部３の内部に、リング状のポリ塩化ビニリデン充填材２９を有している。なお、上記第１の実施形態と同じ部分については、同じ符号を付けて、詳細な説明を省略する。
【００６１】
つまり、上記散水貯槽４および上記水槽９の内部に、上記ポリ塩化ビニリデン充填材２９を充填している。この冷却装置で発生した微生物は、上記ポリ塩化ビニリデン充填材２９のみに集中して繁殖する。
【００６２】
なぜなら、上記冷却塔１において冷却水中に繁殖する微生物は、特に排水の例と異なり、汚濁有機物が流入してくるわけではないので、微生物濃度は、排水処理の場合と比較して、低濃度である。そして、微生物の濃度が、低濃度であるので、上記ポリ塩化ビニリデン充填材２９に集中して繁殖する。つまり、微生物濃度が低い場合は、マイクロナノバブルは、除菌作用がある一方、微生物濃度が高い場合は、マイクロナノバブルは、微生物の活性化を推進する。
【００６３】
そして、マイクロナノバブルで活性化されて上記ポリ塩化ビニリデン充填材２９に集中して繁殖した微生物によって、冷却水を生物学的に水処理する。したがって、従来使用していた水処理薬品を削減できて、藻類および藻類起因のスライムの発生を抑制して、上記熱媒体と上記冷却水との熱交換の効率の低下を防止する。
【００６４】
（第４の実施形態）
図４は、この発明の冷却装置の第４の実施形態を示している。この第４の実施形態は、上記第１の実施形態と比較して、上記上部貯水部３２の内部および上記下部貯水部３の内部に、活性炭３１を有している。なお、上記第１の実施形態と同じ部分については、同じ符号を付けて、詳細な説明を省略する。
【００６５】
つまり、上記散水貯槽４および上記水槽９の内部に、上記活性炭３１を収容した網袋３０を充填している。この冷却装置で発生した微生物は、上記活性炭３１のみに集中して繁殖する。
【００６６】
なぜなら、上記冷却塔１において冷却水中に繁殖する微生物は、特に排水の例と異なり、汚濁有機物が流入してくるわけではないので、微生物濃度は、排水処理の場合と比較して、低濃度である。そして、微生物の濃度が、低濃度であるので、上記活性炭３１に集中して繁殖する。つまり、微生物濃度が低い場合は、マイクロナノバブルは、除菌作用がある一方、微生物濃度が高い場合は、マイクロナノバブルは、微生物の活性化を推進する。
【００６７】
そして、マイクロナノバブルで活性化されて上記活性炭３１に集中して繁殖した微生物によって、冷却水を生物学的に水処理する。また、上記活性炭３１に上記冷却水中の有機物が吸着し、その後、この活性炭３１のみに繁殖した微生物によって、吸着した有機物を分解する。
【００６８】
したがって、従来使用していた水処理薬品を削減できて、藻類および藻類起因のスライムの発生を抑制して、上記熱媒体と上記冷却水との熱交換の効率の低下を防止する。
【００６９】
（第５の実施形態）
図５は、この発明の冷却装置の第５の実施形態を示している。この第５の実施形態は、上記第１の実施形態と比較して、上記冷却塔１の外部に、上記マイクロナノバブル発生機１２が設置されている。なお、上記第１の実施形態と同じ部分については、同じ符号を付けて、詳細な説明を省略する。
【００７０】
つまり、上記冷却塔１の外部に、上記冷却塔１に連結されたマイクロナノバブル発生槽２１と、上記冷却塔１および上記マイクロナノバブル発生槽２１に連結された水処理槽２０とを有する。
【００７１】
上記マイクロナノバブル発生機１２は、上記マイクロナノバブル発生槽２１の内部に、配置されている。上記マイクロナノバブル発生機１２で作られた上記冷却水は、上記冷却塔１、上記水処理槽２０および上記マイクロナノバブル発生槽２１の間を循環する。
【００７２】
具体的に述べると、上記水槽９の冷却水は、上記水槽９の下部の配管から、流量をバルブ１９で調整されて、上記水処理槽２０に導入される。上記水処理槽２０の内部には、（第２の実施形態の）ひも状のポリ塩化ビニリデン充填材２８が充填され、この冷却装置の試運転後に、時間の経過とともに、上記ポリ塩化ビニリデン充填材２８に微生物が徐々に繁殖する。そして、上記水処理槽２０に導入される冷却水を生物学的に水処理することとなる。
【００７３】
なお、冷却水は、上記水槽９、上記水処理槽２０および上記マイクロナノバブル発生槽２１を、循環ポンプ２７で、循環しているので、循環している冷却水は、上記マイクロナノバブル発生槽２１で、マイクロナノバブルが供給される。したがって、上記水処理槽２０での上記塩化ビニリデン充填材２８に繁殖した微生物は、マイクロナノバブルで活性化される。
【００７４】
上記マイクロナノバブル発生機１２は、配管を介して、循環ポンプ２２と接続しており、上記マイクロナノバブル発生機１２には、空気吸い込み管２６が接続されている。
【００７５】
上記マイクロナノバブル発生機１２への循環水の供給は、上記循環ポンプ２２で調整される一方、上記マイクロナノバブル発生機１２への空気の供給は、上記空気吸い込み管２６に取り付けられているバルブ２５により、調整されて、最適なマイクロナノバブルを含む冷却水を、矢印２４に示すように、発生する。
【００７６】
上記循環ポンプ２２は、冷却水を上記マイクロナノバブル発生機１２に必要圧力状態で供給している。必要圧力状態で供給すると、マイクロナノバブルが効率よく発生する。必要圧力とは、１．５ｋｇ／ｃｍ２以上を意味する。
【００７７】
上記構成の冷却装置では、上記マイクロナノバブル発生機１２は、上記冷却塔１の外部の上記マイクロナノバブル発生槽２１の内部に、配置されているので、既存の冷却塔１に、上記マイクロナノバブル発生槽２１を後付けできて、既存の冷却塔１を有効に利用できる。
【００７８】
また、上記冷却塔１の外部に、上記冷却塔１および上記マイクロナノバブル発生槽２１に連結された水処理槽２０を有するので、既存の冷却塔１に、上記水処理槽２０を後付けできて、既存の冷却塔１を有効に利用できる。
【００７９】
（第６の実施形態）
図６は、この発明の冷却装置の第６の実施形態を示している。この第６の実施形態は、上記第５の実施形態と比較して、ひも状の塩化ビニリデン充填材２８にかえて、（第３の実施形態の）リング状の塩化ビニリデン充填材２９を用いている。なお、上記第５の実施形態と同じ部分については、同じ符号を付けて、詳細な説明を省略する。
【００８０】
つまり、上記水処理槽２０の内部に、上記リング状の塩化ビニリデン充填材２９を充填している。したがって、上記塩化ビニリデン充填材２９に、時間の経過とともに、微生物が繁殖し、冷却水の中に含まれる有機物に対して水処理する。すなわち、マイクロナノバブルで活性化した微生物が繁殖することにより、冷却水の水処理が実地されて、スケールやスライムの付着が抑制されることとなる。
【００８１】
なお、上記ひも状の塩化ビニリデン充填材２８を選定するか、上記リング状の塩化ビニリデン充填材２９を選定するかは、正確には処理実験によって決定すれば良い。
【００８２】
（第７の実施形態）
図７は、この発明の冷却装置の第７の実施形態を示している。この第７の実施形態は、上記第５の実施形態と比較して、ひも状の塩化ビニリデン充填材２８にかえて、（第４の実施形態の）活性炭３１を用いている。なお、上記第５の実施形態と同じ部分については、同じ符号を付けて、詳細な説明を省略する。
【００８３】
つまり、上記水処理槽２０の内部に、上記活性炭３１を収容した網袋３０を充填している。したがって、上記活性炭３１に、時間の経過とともに、微生物が繁殖し、冷却水の中に含まれる有機物に対して水処理する。また、上記活性炭３１が有機物を吸着すると同時に、吸着した冷却水中の有機物を、活性化した微生物が、分解する。
【００８４】
なお、上記ひも状の塩化ビニリデン充填材２８を選定するか、上記活性炭３１を選定するかは、正確には処理実験によって決定すれば良い。
【００８５】
（実験例）
図１の第１の実施形態に対応する実験装置を製作した。この実験装置において、散水貯槽４の容量を約０．３ｍ３、熱交換部２の容量を約４ｍ３、水槽９の容量を約１ｍ３として、１ケ月、この実験装置に工業用水を導入して試運転をおこなった。
【００８６】
試運転後、マイクロナノバブル発生機を有する装置（本発明の冷却装置）と、マイクロナノバブル発生機のない装置（従来の冷却装置）とを比較すると、本発明の冷却装置でのスライム発生量が、従来の冷却装置でのスライム発生量の約２０％程度であった。
【００８７】
なお、この発明は上述の実施形態に限定されない。例えば、上記第１〜上記第４の実施形態において、上記マイクロナノバブル発生機１２は、上記上部貯水部３２の内部および上記下部貯水部３の内部の少なくとも一方に、配置されていればよい。また、上記第１〜上記第４の実施形態において、上記ポリ塩化ビニリデン充填材２８，２９や上記活性炭３１は、上記上部貯水部３２の内部および上記下部貯水部３の内部の少なくとも一方に、配置されていればよい。また、上記第５の実施形態において、上記水処理槽２０はなくてもよい。また、上記第５〜上記第７の実施形態において、上記冷却塔１、上記水処理槽２０および上記マイクロナノバブル発生槽２１の連結の順番は、自由である。
【図面の簡単な説明】
【００８８】
【図１】本発明の冷却装置の第１実施形態を示す模式図である。
【図２】本発明の冷却装置の第２実施形態を示す模式図である。
【図３】本発明の冷却装置の第３実施形態を示す模式図である。
【図４】本発明の冷却装置の第４実施形態を示す模式図である。
【図５】本発明の冷却装置の第５実施形態を示す模式図である。
【図６】本発明の冷却装置の第６実施形態を示す模式図である。
【図７】本発明の冷却装置の第７実施形態を示す模式図である。
【符号の説明】
【００８９】
１    冷却塔
２    熱交換部
３    下部貯水部
４    散水貯槽
５    ファン
７    ルーバー
８    パイプ
１０  散水ポンプ
１１  循環ポンプ
１２  マイクロナノバブル発生機
１４  バルブ
１５  空気吸い込み管
１８  散水口
１９  バルブ
２０  水処理槽
２１  マイクロナノバブル発生槽
２２  循環ポンプ
２５  バルブ
２６  空気吸い込み管
２７  循環ポンプ
２８  ひも状のポリ塩化ビニリデン充填材
２９  リング状のポリ塩化ビニリデン充填材
３０  網袋
３１  活性炭
３２  上部貯水部
【図１】
0004824448.tif 000002
【図２】
0004824448.tif 000003
【図３】
0004824448.tif 000004
【図４】
0004824448.tif 000005
【図５】
0004824448.tif 000006
【図６】
0004824448.tif 000007
【図７】
0004824448.tif 000008